(57)【特許請求の範囲】
【請求項１】
装置本体の本体フレームに対して回動可能に支持された開閉カバーと、
前記開閉カバーを前記本体フレームに対して回動可能に支持するカバー支点軸と、
前記開閉カバーに配置され、記録媒体を搬送するための搬送ローラーを回転可能に支持するローラー軸と、を備えた画像形成装置において、
前記開閉カバーに配置され、前記ローラー軸に電気的に接続される第１部分および前記カバー支点軸に電気的に接続される第２部分を有し、前記カバー支点軸を介して前記ローラー軸を前記本体フレームにアース接続するためのアース部材をさらに備え、
前記カバー支点軸は、前記開閉カバーの回動軸方向と交差する方向に延びるように曲げられた曲げ部を有するとともに、前記開閉カバーは、前記曲げ部に係合可能な係合部を含み、
前記曲げ部が前記係合部に係合することにより、前記開閉カバーの開閉時に前記カバー支点軸が前記開閉カバーと一体的に回動することを特徴とする画像形成装置。
【請求項２】
前記係合部は、弾性変形可能に形成されており、
前記曲げ部と前記係合部とが係合していない状態から、前記係合部を弾性変形させつつ前記カバー支点軸を前記開閉カバーに対して相対的に所定量回動させることにより、前記曲げ部と前記係合部とが係合することを特徴とする請求項１に記載の画像形成装置。
【請求項３】
前記第２部分は、前記係合部に係合した前記曲げ部と接触可能な所定位置に保持されていることを特徴とする請求項１または２に記載の画像形成装置。
【請求項４】
前記所定位置には、前記第２部分を前記所定位置において保持するための固定部が設けられていることを特徴とする請求項３に記載の画像形成装置。
【請求項５】
前記曲げ部は、前記固定部との間で前記第２部分を挟み込んでいることを特徴とする請求項４に記載の画像形成装置。
【請求項６】
前記係合部は、前記曲げ部の回動経路に向かって突出する第１係合部、および、前記曲げ部を前記回動軸方向に挟み込む第２係合部、を有することを特徴とする請求項１〜５のいずれか１項に記載の画像形成装置。
【発明の詳細な説明】
【技術分野】
【０００１】
本発明は、装置本体に対して回動可能に支持された開閉カバーを備える画像形成装置に関する。
【背景技術】
【０００２】
画像形成装置には、用紙搬送路に沿って用紙を搬送し、その用紙に画像を印刷するものがある。このような画像形成装置では、用紙搬送路においてジャムが発生すると、用紙搬送路から用紙を取り除かなければならない。したがって、画像形成装置の外装カバーのうち一部が開閉カバーとされており、その開閉カバーを開状態にすることによって用紙搬送路の内側が露出するようになっている（たとえば、特許文献１参照）。
【０００３】
特許文献１では、画像形成装置の側面に沿って用紙搬送路が延びている。したがって、画像形成装置の側面カバーの一部が開閉カバーとされている。また、用紙搬送路において搬送ニップを形成する搬送ローラー対のうち一方の搬送ローラーが装置内部に配置され、他方の搬送ローラーが開閉カバーに配置されている。これにより、開閉カバーを開状態にすると、用紙搬送路の内側が露出され、かつ、一対の搬送ローラーが互いに離間する。これにより、用紙搬送路に詰まった用紙を容易に取り除くことができる。
【先行技術文献】
【特許文献】
【０００４】
【特許文献１】特開２０１３−６１４６８号公報
【発明の概要】
【発明が解決しようとする課題】
【０００５】
用紙搬送路に沿って用紙を搬送して用紙に画像を印刷する画像形成装置では、搬送ローラーでの静電気の滞留を抑制するため、搬送ローラーのローラー軸を装置本体の本体フレームにアース接続することによって、搬送ローラーで発生した静電気を本体フレームに逃がすようにしている。たとえば、開閉カバーに配置された搬送ローラーについては、開閉カバーを本体フレームに対して回動可能に支持するカバー支点軸を介して、ローラー軸が本体フレームにアース接続される。すなわち、開閉カバーにアース部材を配置し、そのアース部材を介してローラー軸とカバー支点軸とが電気的に接続される。
【０００６】
たとえば、カバー支点軸は、回転しないように本体フレームに取り付けられ、開閉カバーは、カバー支点軸回りに回動するようにカバー支点軸に支持される。すなわち、開閉カバーの開閉時に、カバー支点軸は開閉カバーと一体的に回動しない。このような構成の場合には、たとえば、アース部材にバネ性を持たせ、そのアース部材をカバー支点軸に押し付けて接触させることにより、カバー支点軸とアース部材との電気的な接続がなされる。これにより、開閉カバーが開閉したとしても、アース部材とカバー支点軸との接触が維持される。
【０００７】
しかし、開閉カバーを開閉させると、アース部材がカバー支点軸の周面を摺動し、カバー支点軸に対するアース部材の接触位置が変位する。したがって、アース部材が削られたり、アース部材とカバー支点軸との間の接触圧が変化したりする恐れがある。そして、アース部材が削られたり接触圧が変化したりすると、アース部材とカバー支点軸との間で電気的な接続不良が発生し易くなる。
【０００８】
本発明は、上記課題を解決するためになされたものであり、開閉カバーを装置本体に対して回動可能に支持するカバー支点軸にアース部材を電気的に接続する構成において、アース部材とカバー支点軸との間で電気的な接続不良が発生するのを抑制することが可能な画像形成装置を提供することを目的とする。
【課題を解決するための手段】
【０００９】
上記目的を達成するために、本発明の画像形成装置は、装置本体の本体フレームに対して回動可能に支持された開閉カバーと、開閉カバーを本体フレームに対して回動可能に支持するカバー支点軸と、開閉カバーに配置され、記録媒体を搬送するための搬送ローラーを回転可能に支持するローラー軸と、を備えている。また、画像形成装置は、開閉カバーに配置され、ローラー軸に電気的に接続される第１部分およびカバー支点軸に電気的に接続される第２部分を有し、カバー支点軸を介してローラー軸を本体フレームにアース接続するためのアース部材をさらに備えている。そして、カバー支点軸は、開閉カバーの回動軸方向と交差する方向に延びるように曲げられた曲げ部を有するとともに、開閉カバーは、曲げ部に係合可能な係合部を含み、曲げ部が係合部に係合することにより、開閉カバーの開閉時にカバー支点軸が開閉カバーと一体的に回動する。
【００１０】
本発明の構成では、上記のように、開閉カバーの回動軸方向と交差する方向に延びる曲げ部を有するようにカバー支点軸を形成し、カバー支点軸の曲げ部に係合可能な係合部を開閉カバーに設けることによって、カバー支点軸の曲げ部を係合部に係合させるだけで、容易に、開閉カバーの開閉時（回動時）に開閉カバーと一体的にカバー支点軸を回動させることができる。そして、カバー支点軸の曲げ部を係合部に係合させることにより、開閉カバーの開閉時に開閉カバーと一体的にカバー支点軸も回動するので、開閉カバーが開閉されたとしても、アース部材の第２部分がカバー支点軸の周面を摺動しない（カバー支点軸に対するアース部材の第２部分の接触位置が変位しない）。したがって、アース部材の第２部分が削られたり、アース部材の第２部分とカバー支点軸との間の接触圧が変化したりするのを抑制することができる。その結果、アース部材とカバー支点軸との間で電気的な接続不良が発生するのを抑制することができる。
【発明の効果】
【００１１】
本発明によれば、開閉カバーを装置本体に対して回動可能に支持する支点軸にアース部材を電気的に接続する構成において、アース部材とカバー支点軸との間で電気的な接続不良が発生するのを抑制することができる。
【図面の簡単な説明】
【００１２】
【図１】本発明の一実施形態による画像形成装置の概略図
【図２】図１に示した画像形成装置の外装カバーの構成を説明するための図
【図３】図１に示した画像形成装置の外装カバーの構成を説明するための図（開閉カバーが開状態にされたときの図）
【図４】図１に示した画像形成装置の外装カバーの構成を説明するための図（開閉カバーの内面に設けられたユニットの詳細図）
【図５】図１に示した画像形成装置の開閉カバーの開閉構造を説明するための図
【図６】図１に示した画像形成装置の開閉カバーの開閉構造を説明するための図（カバー支点軸およびその周辺の詳細図）
【図７】図１に示した画像形成装置の開閉カバーの開閉構造を説明するための図（カバー支点軸とアース部材とが電気的に接続された状態の図）
【図８】図１に示した画像形成装置の開閉カバーの開閉構造を説明するための図（カバー支点軸の曲げ部と係合部との係合が解除された状態の図）
【図９】図８の矢印Ａ方向から見た図
【図１０】図１に示した画像形成装置の開閉カバーに配置されるアース部材の接続構造を説明するための図
【図１１】図１０に示したアース部材の第１部分の固定構造を説明するための図
【図１２】図１０に示したアース部材の第２部分の固定構造を説明するための図
【発明を実施するための形態】
【００１３】
（画像形成装置の全体構成）
【００１４】
図１に示すように、本実施形態の画像形成装置１００は、画像読取部１０１、給紙部１０２、用紙搬送部１０３、トナー像形成部１０４、転写部１０５および定着部１０６を備えている。また、画像形成装置１００は、用紙Ｐを搬送するための搬送路として、メイン搬送路１１１および反転搬送路１２１を備えている。
【００１５】
画像読取部１０１は、ランプ１１、ミラー１２、レンズ１３およびイメージセンサー１４を含み、コンタクトガラス１５に載置された原稿の画像を光学的に読み取って画像データを生成する。コンタクトガラス１５上には、原稿を押え付けるための原稿押さえ１６が設けられている。
【００１６】
給紙部１０２は、メイン搬送路１１１の用紙供給口に配置されたピックアップローラー２１および給紙ローラー対２２を含み、用紙カセット２３に収容された用紙Ｐをメイン搬送路１１１に供給する。用紙搬送部１０３は、メイン搬送路１１１に沿って配置された搬送ローラー対３１を複数含み、メイン搬送路１１１に供給された用紙Ｐを転写ニップおよび定着ニップの順番で搬送して排出トレイ３２に排出する。また、用紙搬送部１０３は、反転搬送路１２１に沿って用紙Ｐを搬送するための反転用ローラー対３３を複数含む。
【００１７】
トナー像形成部１０４は、感光体ドラム４１、帯電装置４２、現像装置４３、ドラム清掃装置４４および露光装置４５を含む。なお、トナー像形成部１０４は、ブラック、イエロー、シアンおよびマゼンタの各色にそれぞれ対応する機構部４０Ｂｋ、４０Ｙ、４０Ｃおよび４０Ｍに分類される。そして、トナー像形成部１０４の各機構部４０Ｂｋ、４０Ｙ、４０Ｃおよび４０Ｍは、それぞれ、感光体ドラム４１、帯電装置４２、現像装置４３およびドラム清掃装置４４を１つずつ有し、後述する中間転写ベルト５１の外側において感光体ドラム４１が中間転写ベルト５１に接するように配置され、対応する色のトナー像を形成して中間転写ベルト５１に転写する。露光装置４５は、各色共通で使用され、感光体ドラム４１に静電潜像を形成する。各色のトナーは、それぞれ、トナーコンテナー４６Ｂｋ、４６Ｙ、４６Ｃおよび４６Ｍに収容される。
【００１８】
転写部１０５は、中間転写ベルト５１、１次転写ローラー５２および２次転写ローラー５３を含み、トナー像形成部１０４で形成されたトナー像を用紙Ｐに転写する。中間転写ベルト５１は、駆動ローラー５４および従動ローラー５５によって張架される。１次転写ローラー５２は、中間転写ベルト５１の内側に配置され、感光体ドラム４１との間で中間転写ベルト５１を挟み込む。２次転写ローラー５３は、中間転写ベルト５１を挟んで駆動ローラー５４と対向するように配置され、中間転写ベルト５１との間で転写ニップを形成する。
【００１９】
定着部１０６は、加熱ローラー６１および加圧ローラー６２を含み、用紙Ｐに転写されたトナー像を加熱および加圧して定着させる。加熱ローラー６１は、発熱源を内蔵する。加圧ローラー６２は、加熱ローラー６１に圧接し、加熱ローラー６１との間で定着ニップを形成する。
【００２０】
ここで、片面印刷ジョブの実行時には、片面印刷された用紙Ｐは定着ニップから排出トレイ３２に送られる。一方で、両面印刷ジョブの実行時には、片面印刷された用紙Ｐは定着ニップから反転搬送路１２１に送られ、メイン搬送路１１１のうち転写ニップの位置よりも用紙搬送方向上流側の位置に戻される。そして、片面印刷された用紙Ｐは、メイン搬送路１１１に沿って搬送され、転写ニップおよび定着ニップを再び通過する。このときには、用紙Ｐの表裏が反転しているので、用紙Ｐの裏面（未印刷面）に対して印刷が行われる。
【００２１】
（外装カバーの構成）
図２〜図４に示すように、画像形成装置１００は、装置内部が露出しないように外装カバーによって覆われる。たとえば、外装カバーは、装置正面に配置された正面カバー２０１、装置側面に配置された側面カバー２０２および装置後面に配置された後面カバー（図示せず）などを含む。そして、側面カバー２０２の一部は、装置本体の本体フレーム１００ａに対して回動可能に支持されている。すなわち、この側面カバー２０２の一部は、装置本体に対して開閉可能になっている。以下、側面カバー２０２のうち装置本体に対して開閉可能となっている部分を開閉カバー２０３と称する。
【００２２】
開閉カバー２０３が閉状態のときに開閉カバー２０３の内面と対向する装置内部の所定位置には、複数のガイドリブを有するガイドフレーム１２２が設けられ、開閉カバー２０３の内面には、複数のガイドリブを有するガイドフレーム１２３が設けられている。したがって、開閉カバー２０３が閉状態にされると、ガイドフレー１２２および１２３が互いに対向する。そして、このときに互いに対向するガイドフレーム１２２および１２３によって挟まれる領域が反転搬送路１２１（図１参照）とされる。すなわち、反転搬送路１２１に沿って搬送される用紙Ｐは、ガイドフレーム１２２および１２３によってガイドされる。
【００２３】
また、反転用ローラー対３３を成す反転用ローラー３４および３５のうち一方の反転用ローラー３４は装置内部に配置され、他方の反転用ローラー３５は開閉カバー２０３の内面に配置される。そして、カバー２０３が閉状態にされると、反転用ローラー３５が反転用ローラー３４に圧接し、搬送ニップが形成されるようになっている。なお、反転用ローラー３５は本発明の「搬送ローラー」に相当する。
【００２４】
そして、開閉カバー２０３が開状態にされると、反転搬送路１２１の内側が露出され、反転用ローラー３４および３５が互いに離間する。したがって、反転搬送路１２１においてジャムが発生した場合には、開閉カバー２０３を開状態にすることにより、ジャム処理を行うことができる。
【００２５】
なお、反転用ローラー３５は、用紙搬送方向と直交する方向に延びるローラー軸３６に取り付けられている。このローラー軸３６は、その両端がベアリング３７（図１０参照）によって軸支され、ガイドフレーム１２３（開閉カバー２０３）に取り付けられている。なお、開閉カバー２０３の内面に取り付けられた反転用ローラー３５やガイドフレーム１２３などはユニット化されており、ユニット単位での着脱が可能となっている。
【００２６】
（開閉カバーの開閉構造）
図５〜図７に示すように、開閉カバー２０３には、開閉カバー２０３の回動軸方向（以下、Ｘ方向と称する）に貫通する嵌合穴を有する支持部２１１が設けられている。この支持部２１１には、開閉カバー２０３を装置本体に対して回動可能（開閉可能）に支持するためのカバー支点軸７１が挿入されている。支持部２１１に挿入されたカバー支点軸７１は、その先端部分が支持部２１１から突出した状態となる。そして、支持部２１１から突出したカバー支点軸７１の先端部分は、本体フレーム１００ａに設けられた軸受部（図示せず）に軸支されている。これにより、開閉カバー２０３が装置本体に対して回動可能となる。
【００２７】
また、カバー支点軸７１は、Ｘ方向と直交する方向（以下、Ｙ方向と称する）に延びるように曲げられた曲げ部７１ａを有する。すなわち、カバー支点軸７１は、略Ｌ字状（略直角）に曲げられた形状とされている。このカバー支点軸７１の曲げ部７１ａは、開閉カバー２０３に設けられた係合部２１２に係合している。そして、カバー支点軸７１は、その曲げ部７１ａが係合部２１２に係合していることにより、開閉カバー２０３の開閉時に開閉カバー２０３と一体的に回動するように保持されている。すなわち、カバー支点軸７１は、開閉カバー２０３に対して相対的に回動しないように保持されている。
【００２８】
係合部２１２は、突出部２１３および壁部２１４を有する。突出部２１３は、壁部２１４の一部からカバー支点軸７１の曲げ部７１ａの回動経路に向かって突出し、カバー支点軸７１の回動を規制する。壁部２１４は、カバー支点軸７１の曲げ部７１ａをＸ方向に挟み込み、カバー支点軸７１のＸ方向への移動を規制する。これにより、カバー支点軸７１の曲げ部７１ａが係合部２１２に係合した状態では、カバー支点軸７１が開閉カバー２０３に対して相対的に回動しないように保持される。なお、突出部２１３は本発明の「第１係合部」に相当し、壁部２１４は本発明の「第２係合部」に相当する。
【００２９】
また、係合部２１２は、開閉カバー２０３の内面に一体的に形成されており、弾性変形可能となっている。このため、カバー支点軸７１の曲げ部７１ａと係合部２１２とを係合させるときには、カバー支点軸７１の曲げ部７１ａと係合部２１２とが係合していない状態（図８および図９に示す状態）から、係合部２１２を弾性変形させつつカバー支点軸７１を開閉カバー２０３に対して相対的にＢ方向（図９参照）に所定量回動させればよい。
【００３０】
（本体フレームへのアース接続）
本実施形態では、図１０に示すように、反転用ローラー３５に静電気が滞留するのを抑制するため、ローラー軸３６とカバー支点軸７１とをアース線８１によって電気的に接続し、カバー支点軸７１を介してローラー軸３６を本体フレーム１００ａにアース接続している。なお、アース線８１は本発明の「アース部材」に相当する。
【００３１】
アース線８１は、ローラー軸３６に電気的に接続される第１部分８１ａおよびカバー支点軸７１に電気的に接続される第２部分８１ｂを有する。アース線８１の第１部分８１ａは、図１１に示すように、開閉カバー２０３に設けられたガイドフレーム１２３の外壁部１２３ａとベアリング３７との間に挟み込まれている。なお、ベアリング３７は、導電性材料で形成されている。これにより、アース線８１の第１部分８１ａは、ベアリング３７を介してローラー軸３６に電気的に接続される。
【００３２】
アース線８１の第２部分８１ｂは、図７に示すように、係合部２１２に係合したカバー支点軸７１の曲げ部７１ａに接触し、それによってカバー支点軸７１に電気的に接続されている。具体的には、アース線８１の第２部分８１ｂは、係合部２１２に係合したカバー支点軸７１の曲げ部７１ａと接触可能な所定位置ＣＰに保持されている。これにより、アース線８１の第２部分８１ｂは、カバー支点軸７１の曲げ部７１ａが係合部２１２に係合すると、カバー支点軸７１の曲げ部７１ａに接触する。一方で、アース線８１の第２部分８１ｂは、カバー支点軸７１の曲げ部７１ａと係合部２１２との係合が解除されると（カバー支点軸７１が開閉カバー２０３に対して相対的に回動すると）、カバー支点軸７１の曲げ部７１ａに接触しなくなる。
【００３３】
また、図６および図１２に示すように、所定位置ＣＰ（アース線８１の第２部分８１ｂを保持する位置）には、アース線８１の第２部分８１ｂを所定位置ＣＰにおいて固定的に保持するための固定部１２４が設けられている。たとえば、固定部１２４は、アース線８１の第２部分８１ｂが挿入されるようになっている。固定部１２４は、その内部に挿入されたアース線８１の第２部分８１ｂの一部を露出させ、カバー支点軸７１の曲げ部７１ａに接触させるための開口１２４ａを有する。固定部１２４の開口１２４ａから露出したアース線８１の第２部分８１ｂは、カバー支点軸７１の曲げ部７１ａ側に向かって若干突出している。そして、係合部２１２に係合したカバー支点軸７１の曲げ部７１ａは、固定部１２４との間でアース線８１の第２部分８１ｂを挟み込んでいる。なお、アース線８１の第２部分８１ｂは略Ｕ字状に屈曲しており、そのアース線８１の略Ｕ字状に屈曲した第２部分８１ｂが固定部１２４に挿入されている。すなわち、アース線８１の略Ｕ字状に屈曲した第２部分８１ｂがカバー支点軸７１の曲げ部７１ａと固定部１２４との間に挟み込まれた状態となる。
【００３４】
本実施形態の画像形成装置１００は、上記のように、装置本体の本体フレーム１００ａに対して回動可能に支持された開閉カバー２０３と、開閉カバー２０３を本体フレーム１００ａに対して回動可能に支持するカバー支点軸７１と、開閉カバー２０３に配置され、用紙Ｐ（記録媒体）を搬送するための反転用ローラー３５（搬送ローラー）を回転可能に支持するローラー軸３６と、を備えている。また、画像形成装置１００は、開閉カバー２０３に配置され、ローラー軸３６に電気的に接続される第１部分８１ａおよびカバー支点軸７１に電気的に接続される第２部分８１ｂを有し、カバー支点軸７１を介してローラー軸３６を本体フレーム１００ａにアース接続するためのアース線８１（アース部材）をさらに備えている。そして、カバー支点軸７１は、Ｘ方向（開閉カバー７１の回動軸方向）と交差する方向に延びるように曲げられた曲げ部７１ａを有するとともに、開閉カバー２０３は、カバー支点軸７１の曲げ部７１ａに係合可能な係合部２１２を含み、カバー支点軸７１の曲げ部７１ａが係合部２１２に係合していることにより、開閉カバー２０３の開閉時にカバー支点軸７１が開閉カバー２０３と一体的に回動する。
【００３５】
本実施形態の構成では、Ｘ方向と交差する方向に延びる曲げ部７１ａを有するようにカバー支点軸７１を形成し、カバー支点軸７１の曲げ部７１ａに係合可能な係合部２１２を開閉カバー２０３に設けることによって、カバー支点軸７１の曲げ部７１ａを係合部２１２に係合させるだけで、容易に、開閉カバー２０３の開閉時（回動時）に開閉カバー２０３と一体的にカバー支点軸７１を回動させることができる。そして、カバー支点軸７１の曲げ部７１ａを係合部２１２に係合させることにより、開閉カバー２０３の開閉時に開閉カバー２０３と一体的にカバー支点軸７１も回動するので、開閉カバー２０３が開閉されたとしても、アース線８１の第２部分８１ｂがカバー支点軸７１の周面を摺動しない（カバー支点軸７１に対するアース線８１の第２部分８１ｂの接触位置が変位しない）。したがって、アース線８１の第２部分８１ｂが削られたり、アース線８１の第２部分８１ｂとカバー支点軸７１との間の接触圧が変化したりするのを抑制することができる。その結果、アース線８１とカバー支点軸７１との間で電気的な接続不良が発生するのを抑制することができる。
【００３６】
また、本実施形態では、上記のように、係合部２１２は、弾性変形可能に形成されている。そして、カバー支点軸７１の曲げ部７１ａと係合部２１２とが係合していない状態から、係合部２１２を弾性変形させつつカバー支点軸７１を開閉カバー２０３に対して相対的に所定量回動させることにより、カバー支点軸７１の曲げ部７１ａと係合部２１２とが係合する。このように構成すれば、容易に、カバー支点軸７１の曲げ部７１ａを係合部２１２に係合させることができる。
【００３７】
なお、開閉カバー２０３を装置本体に回動可能に支持する場合には、開閉カバー２０３の支持部２１１にカバー支点軸７１を挿入し、支持部２１１から突出したカバー支点軸７１の先端部分を本体フレーム１００ａの軸受部（図示せず）に嵌め込んだ後、係合部２１２を弾性変形させつつカバー支点軸７１を開閉カバー２０３に対して相対的に所定量回動させるだけでよい。したがって、カバー支点軸７１を略Ｌ字状（曲げ部７１ａを有する形状）に形成したとしても、容易に、開閉カバー２０３を装置本体に取り付けることができる。
【００３８】
一方で、開閉カバー２０３を装置本体から取り外す場合には、係合部２１２を弾性変形させつつカバー支点軸７１を開閉カバー２０３に対して相対的に取付時とは逆方向に所定量回動させればよい。このようにすると、カバー支点軸７１のＸ方向への移動が自在になり、本体フレーム１００ａの軸受部からカバー支点軸７１を引き抜くことができるようになる（装置本体から開閉カバー２０３を取り外すことができるようになる）。すなわち、装置本体からの開閉カバー２０３の取り外しも簡単に行うことができる（開閉カバー２０３の取り外しを伴うメンテナンス作業の作業性が低下することはない）。
【００３９】
また、本実施形態では、上記のように、アース線８１の第２部分８１ｂは、係合部２１２に係合したカバー支点軸７１の曲げ部７１ａと接触可能な所定位置ＣＰに保持されている。このように構成すれば、開閉カバー２０３に対するカバー支点軸７１の取付時に、カバー支点軸７１の曲げ部７１ａを係合部２１２に係合させるだけで、カバー支点軸７１の曲げ部７１ａをアース線８１の第２部分８１ｂに接触させることができる。これにより、カバー支点軸７１とアース線８１とを電気的に接続するための専用の作業が不要となり、作業性が向上する。
【００４０】
また、本実施形態では、上記のように、所定位置ＣＰ（アース線８１の第２部分８１ｂを保持する位置）には、アース線８１の第２部分８１ｂを所定位置ＣＰにおいて固定的に保持するための固定部１２４が設けられている。このように構成すれば、アース線８１の第２部分８１ｂが位置ずれしてカバー支点軸７１の曲げ部７１ｂに接触しなくなる、という不都合が発生するのを容易に抑制することができる。
【００４１】
また、本実施形態では、上記のように、カバー支点軸７１の曲げ部７１ａは、固定部１２４との間でアース線８１の第２部分８１ｂを挟み込んでいる。このように構成すれば、アース線８１の第２部分８１ｂとカバー支点軸７１の曲げ部７１ｂとを確実に接触させることができ、電気的な接続不良が発生し難くなる。
【００４２】
また、本実施形態では、上記のように、アース線８１の第２部分８１ｂは、略Ｕ字状に屈曲している。そして、アース線８１の略Ｕ字状に屈曲した第２部分８１ｂがカバー支点軸７１の曲げ部７１ａと固定部１２４との間に挟み込まれている。このように、アース線８１の第２部分８１ｂを略Ｕ字状に屈曲させておけば、アース線８１の第２部分８１ｂを挟み易くなる。
【００４３】
また、本実施形態では、上記のように、係合部２１２は、カバー支点軸７１の曲げ部７１ａの回動経路に向かって突出する突出部２１３（第１係合部）、および、カバー支点軸７１の曲げ部７１ａをＸ方向に挟み込む壁部２１４（第２係合部）、を有する。このように構成すれば、確実に、開閉カバー２０３の開閉時（回動時）にカバー支点軸７１が開閉カバー２０３と一体的に回動するようにカバー支点軸７１を保持することができる。また、カバー支点軸７１のＸ方向への移動が壁部２１４によって規制されるので、カバー支点軸７１の抜け落ちも抑制される。
【００４４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００４５】
３５  反転用ローラー（搬送ローラー）
３６  ローラー軸
７１  カバー支点軸
７１ａ  曲げ部
８１  アース線（アース部材）
８１ａ  第１部分
８１ｂ  第２部分
１００  画像形成装置
１００ａ  本体フレーム
１２４  固定部
２０３  開閉カバー
２１２  係合部
２１３  突出部（第１係合部）
２１４  壁部（第２係合部）
ＣＰ  所定位置
Ｐ  用紙（記録媒体）
【図１】
0005883832.tif 000002
【図１１】
0005883832.tif 000003
【図１２】
0005883832.tif 000004
【図２】
0005883832.tif 000005
【図３】
0005883832.tif 000006
【図４】
0005883832.tif 000007
【図５】
0005883832.tif 000008
【図６】
0005883832.tif 000009
【図７】
0005883832.tif 000010
【図８】
0005883832.tif 000011
【図９】
0005883832.tif 000012
【図１０】
0005883832.tif 000013